(57)【要約】【課題】  均一な照度で面発光するＬＥＤ照明装置一体的に組み込んだ複合タイルを提供する。【解決手段】  拡散部材１０は庇状をなし、カバー９の内側面から回路基板８と平行に内方に向かって伸びる平面部１０ａと、平面部１０ａの内端から外側に向かって斜め上方に伸びる傾斜面部１０ｂを備え、前記平面部１０ａと回路基板８との隙間にＬＥＤ素子７が配置されている。平面部１０ａと回路基板８との狭い隙間にＬＥＤ素子７を配置することで、ＬＥＤ素子７から出射した光線は狭い隙間で反射を繰り返し、カバー９の全面から均一な照度で外部に向けて照射される。【選択図】        図３
2011192495.tif 000002
【特許請求の範囲】
【請求項１】
タイルと照明装置とが一体化した複合タイルであって、前記タイルには照明装置が嵌り込む収納部が設けられ、前記照明装置はＬＥＤ素子が搭載された回路基板と、この回路基板が取り付けられるカバーとを備え、このカバーにはＬＥＤ素子からの光を分散せしめる庇状の拡散部材が設けられ、この拡散部材はカバー内側面から基板と平行に内方に向かって伸びる平面部と、平面部の内端から外側に向かって斜め上方に伸びる傾斜面部を備え、前記平面部と基板との隙間にＬＥＤ素子が配置されていることを特徴とする複合タイル。
【請求項２】
請求項１に記載の複合タイルにおいて、前記照明装置の一端はタイルの縁部よりも外側に若干突出していることを特徴とする複合タイル。
【請求項３】
請求項１に記載の複合タイルにおいて、前記カバー及び拡散部材の材料中には拡散材が混入され、且つ拡散部材に混入される拡散材の割合はカバーに混入される拡散材の割合よりも多いことを特徴とする複合タイル。
【発明の詳細な説明】
【技術分野】
【０００１】
本発明は、建築物の壁面、床面などに貼り付けられるタイルであって、特に照明器具と一体化した複合タイルに関する。
【背景技術】
【０００２】
照明器具を組み合わせた複合タイルが、特許文献１〜３に提案されている。特許文献１には、タイル発光システムとして、光拡散パネルが内部空間に配置され、この内部空間がグリッド形態またはエッジ照明形態などに照射される内容が開示されている。
【０００３】
特許文献２には、回路基板の表面に複数のＬＥＤ素子を取り付けて固体照明素子とし、これをタイルに組み合わせた照明パネル用の複合タイルが開示されている。
【０００４】
特許文献３には、タイルにＬＥＤを収納する穴を形成し、この穴に収納したＬＥＤに電気的接続素子を介して給電する構造が開示されている。
【先行技術文献】
【特許文献】
【０００５】
【特許文献１】特表２００７−５２５６９０号公報
【特許文献２】特表２００９−５１６３５８号公報
【特許文献３】特表２００９−５２２７６４号公報
【発明の概要】
【発明が解決しようとする課題】
【０００６】
ＬＥＤ素子からの発光は特定の方向に光が出射する。このためＬＥＤを用いた照明装置はピンポイントを明るくする照明には優れているが、全体を明るくする照明には不向きと言える。
【０００７】
特許文献２、３については、ＬＥＤ素子からの光がそのまま外部に出射するようにしているため、均一な面発光を行わせることができない。また特許文献１については、光拡散パネルを用いているが、照明の形態をグリッドまたはエッジ状にするための光拡散パネルであり、照明装置のカバー全体を均一な照度にするものではない。
【０００８】
照明装置のカバー全体に照度むらを生じさせないためには、カバーに分散材を混ぜるのが有効であるが、分散材を多量に混入すると、照度が落ちてしまう不利がある。
【課題を解決するための手段】
【０００９】
上記の課題を解決するため本発明に係る複合タイルは、照明装置と一体化し、その一部には照明装置が嵌り込む収納部が設けられ、前記照明装置はＬＥＤ素子が搭載された回路基板と、この回路基板が取り付けられるカバーとを備え、このカバーにはＬＥＤ素子からの光を分散せしめる庇状の拡散部材が設けられ、この拡散部材はカバー内側面から基板と平行に内方に向かって伸びる平面部と、平面部の内端から外側に向かって斜め上方に伸びる傾斜面部を備え、前記平面部と基板との隙間にＬＥＤ素子が配置された構成である。
【００１０】
前記照明装置（カバー）の一端をタイルの縁部よりも外側に若干突出させることで、複数のタイルを貼り合わせる場合に、隣接するタイルの照明装置のカバーとの間が狭く或いはカバー同士が接触することで、連続した模様などを形成することが可能になる。
【００１１】
また、照度を落とさずに均一な照明を行うために、拡散部材に混入される拡散材の割合をカバーに混入される拡散材の割合よりも多くすることが好ましい。
【発明の効果】
【００１２】
本発明に係る複合タイルは、タイルに嵌め込まれるＬＥＤ照明装置のカバー内に、庇状の拡散部材を設けたので、ＬＥＤ素子からの光を効果的に分散させることができ、外部からＬＥＤ素子の位置が透けて見えたりすることがなく、タイルに組み込んだ照明装置の外部に露出するカバー面積が広くても均一な照度にすることができる。
【図面の簡単な説明】
【００１３】
【図１】本発明に係る複合タイルを組み合わせて構成された壁面の斜視図
【図２】本発明に係る複合タイルの一例を示す斜視図
【図３】同複合タイルの正面図
【図４】同複合タイルの裏面図
【図５】図３のＡ方向側面図
【図６】図４のＢ−Ｂ線断面図
【図７】照明器具のケースの斜視図
【図８】照明器具のケース内に収納される反射体の拡大断面図
【図９】照明器具のケース内に収納される回路基板を示す図
【発明を実施するための形態】
【００１４】
以下に本発明の好適実施例を添付図面を参照して説明する。図１は本発明に係る複合タイルを組み合わせて構成された壁面の斜視図であり、複合タイルはタイル１と照明装置２から構成され、タイル１には照明装置２が嵌り込む収納部３が形成されている。
【００１５】
本実施例では、複数の複合タイルを組み合わせることで、図柄や文字などを照明装置２で表現するため、複数種類の形状の照明装置２とこの照明装置２を嵌め込むための複数種類の形状の収納部３を形成したタイル１を用意している。タイル１は陶器製の他に、プラスチック製、木製、ガラス製、金属製であってもよい。
【００１６】
陶器製のタイル１は焼成すると収縮するが、その際に収納部３の寸法が正確に出せるように、収縮率を一定にする必要がある。このための条件としては、材料と焼成条件を以下のように定めることが好ましい。
【００１７】
材料としては、焼成時及び乾燥時の収縮率の安定した磁器土を使用する。この磁器土を使用して石膏型で鋳込み成形して素地を作製し、焼成前および乾燥時に素地を計測し、基準値から外れるものは廃棄する。焼成温度は１２７０℃から１３１０℃の範囲で還元焼成を行い、焼成後は治具をあてて基準寸法になっているか確認する。
【００１８】
また、照明装置２の形状としては具体的には、タイルの両端まで届いた直線状をなすもの、タイルの一端から伸びタイルの中央付近で止まった直線状をなすもの、タイルの中央で円形をなすもの、タイルの隣接する２辺間に跨る１／４円状をなすものなどが考えられる。
【００１９】
図２ではタイルの一端から伸びタイルの中央付近で止まった直線状をなす照明装置２を示している。他の形状の照明装置については形状が異なるだけで、内部構造は同じであるので、説明を省略する。
【００２０】
タイル１の表面には盛り上り部４が形成され、この盛り上り部４の内側に収納部３が形成される。またタイル１の裏面には図４に示すように壁などに貼りつける際にモルタルが入り込む凹部５が形成され、また収納部３に収納した照明装置２が外れるのを防止するブリッジ部６が形成されている。
【００２１】
更に、図３及び図４に示すように、照明装置２の一端２ａはタイル１の縁部から若干突出している。この突出量は例えば目地の１／２程度とする。このように一端２ａを若干突出させることで、複数の複合タイルを組み合わせた際に、隣接する複合タイルの照明装置同士が連続している感じを見る者に与えることができる。
【００２２】
照明装置２はＬＥＤ素子７が搭載された回路基板８と、この回路基板８が取り付けられるカバー９とを備え、このカバー９にはＬＥＤ素子７からの光を分散せしめる庇状の拡散部材１０およびタイル１の収納部３に固定するための係止片１１が設けられている。
【００２３】
本実施例ではカバー９と拡散部材１０とを別体とし、カバー９内に混合する拡散材よりも拡散部材１０内に混合する拡散材の量を多くし、拡散を効果的に行わせるとともに、照度の低下を防止している。
【００２４】
庇状をなす拡散部材１０は、カバー９の内側面から回路基板８と平行に内方に向かって伸びる平面部１０ａと、平面部１０ａの内端から外側に向かって斜め上方に伸びる傾斜面部１０ｂを備え、前記平面部１０ａと回路基板８との隙間にＬＥＤ素子７が配置されている。
【００２５】
ＬＥＤ素子７には回路基板８上に形成された回路１２を介して給電され、この回路１２にはコネクタ１３及びリード線１４を介して給電される。複数の複合タイルは互いにコネクタ１３及びリード線１４を介して電気的に接続され、電源は１つで足りる。
【００２６】
上記のように平面部１０ａと回路基板８との狭い隙間にＬＥＤ素子７を配置することで、ＬＥＤ素子７から出射した光線は狭い隙間で反射を繰り返し、カバー９の全面から均一な照度で外部に向けて照射される。
【符号の説明】
【００２７】
１…タイル、２…照明装置、２ａ…照明装置の一端、３…収納部、４…盛り上り部、５…凹部、６…ブリッジ部、７…ＬＥＤ素子、８…回路基板、９…カバー、１０…拡散部材、１０ａ…平面部、１０ｂ…傾斜面部、１１…係止片、１２…回路、１３…コネクタ、１４…リード線。
【図１】
2011192495.tif 000003
【図２】
2011192495.tif 000004
【図３】
2011192495.tif 000005
【図４】
2011192495.tif 000006
【図５】
2011192495.tif 000007
【図６】
2011192495.tif 000008
【図７】
2011192495.tif 000009
【図８】
2011192495.tif 000010
【図９】
2011192495.tif 000011